(57)【要約】【課題】パッテングの正確性向上を図るため、ホール（グリーンに設けた穴）またはカップに正対して、しゃがんだ姿勢でストロークを行うことができるパターの提供を目的とする。【解決手段】シャフトは、従来のパターより極端に、例えば約半分以下又は約１／３以下に短くし、シャフトの上部に第１グリップを有し、さらに、ネックに第２グリップを有することを特徴とする。【選択図】    図１
2005000614.tif 000002
【特許請求の範囲】
【請求項１】
ゴルフ・プレーにおけるパッティング用ヘッドと、前記パッティング用ヘッドに取り付けたネックと、前記ネックに取り付けた短尺のシャフトからなるゴルフクラブにおいて、前記シャフトの上端部に第１グリップを設け、前記ネックに第２グリップを設けたことを特徴とするネックにグリップを有するパター。
【請求項２】
請求項１記載のゴルフ用パターにおいて、ネックの軸線とシャフトの軸線とがなす角度θが９０度以下の角度をなすことを特徴とするネックにグリップを有するパター。
【請求項３】
ゴルフ・プレーにおけるパッティング用ヘッドと、前記パッティング用ヘッドに取り付けたネックと、前記ネックに取り付けた短尺のシャフトからなるゴルフクラブにおいて、シャフトの下端をネックの下端に固定し、ネックの上端を開放し、ネックの軸線とシャフトの軸線とがなす角度θが９０度以下の角度をなし、シャフトの上端部に第１グリップを設け、ネックの上端部に第２グリップを設けたことを特徴とするネックにグリップを有するパター。
【発明の詳細な説明】
【０００１】
【産業上の利用分野】
本発明は、ゴルフ用パター（以下パターという）に関し、詳しくはゴルフ・プレーのパッティングにおいて使用するパターに極めて斬新な改良を施したパターに関するものである。
【０００２】
【従来の技術】
人間が目標に向って何らかの動作を行う場合、本来目標に正対して、物を投げたりするのが最も自然であり、野球或いはボーリング等々も動作を開始する前から目標に正対し、動作中から動作の終了における間も正対した姿勢で行っている。
【０００３】
【発明が解決しようとする課題】
しかしながら、今までゴルフ競技においては、ドライバーとかアイアンの延長線上でパターを考えてきたと思われるが、本来遠くにゴルフボール（以下、ボールという）を飛ばす動作と、グリーンの上でボールを転がしてホール（グリーンに設けた穴）またはカップに入れる動作とは全く異なるものである。
【０００４】
また、人の手で精度の高い動作をする場合、作用される所と手ができるだけ近い方が正確な動作を行うことができる。パッティングの場合、作用されるところはパッティング用ヘッドであるが、これは、両手からかなり離れた所に位置していた。そのため、従来のパターでは正確に動作することが難しかった。
【０００５】
本発明は、上記事情に鑑みてなされたものであり、従来のパターよりも極端に、例えば約半分以下又は約１／３以下にシャフトを短くし、ホールに正対して、しゃがんだ姿勢でストロークを行うことができ、また、パッティング用ヘッドと手の位置をできるだけ近付けて、正確な動作を行えることができるパターを提供することを目的とする。
【０００６】
【課題を解決するための手段】
本発明に係るパターは、パッティング用ヘッドと、ネックと、短尺のシャフトとからなり、ネックとシャフトに各々グリップを設けたすることを特徴とする。シャフトは、従来のパターより極端に、例えば約半分以下又は約１／３以下に短くした構成とする。このパターを使用すれば、しゃがんだ姿勢で、更にホールに正対してパッティングを行うことができる。したがって、グリーンにプレーヤーの顔が近づくため、グリーンの傾斜や芝目の状態を確認しながら、更に、ボールを打ち出す方向も確認しながらパッティングすることができるので、パッティングの正確性向上を図ることが可能となる。
【０００７】
シャフトを短くしたパターは、片手だけで握ってパッティングをすることが考えられる。例えば、釘をハンマーで打つ場合、上から下へ打つときは命中させるのはやさしいが、水平に釘を打つ場合は命中させることが難しい。パターの場合も、パッティング用ヘッドの移動は水平であるため、片手だけで握ってパッティングを行うと不安定になる。本発明のパターは、その点に考慮して両手でパターを持ち安定したストロークを行えるようにした。
【０００８】
しかし、両手をくっつけてパターを握ると窮屈な姿勢になりスムーズなストロークを行うことができない。本発明のパターは、右手と左手を離して握ることができるので、ホールに正対し、アドレスをし、ストロークの開始から終了まで楽な姿勢を保つことができる。したがって、スムーズなストロークを行うことができる。
【０００９】
また、手の位置とパッティング用ヘッドの位置が極めて近くなるため、正確なストロークを行うことができる。
【００１０】
【発明の実施の形態】
以下に、本発明の実施の形態を詳細に説明する。
【００１１】
（実施の形態１）図１は、本発明の第１実施例のパター１ａを示すものである。このパター１ａは、パッティング用ヘッド２と、ネック３と、短尺のシャフト４とを連結した構成をしている。このシャフト４の寸法Ｌを従来におけるパターより極端に、例えば従来におけるパターよりも約半分以下又は約１／３以下に短くした構成となっている。ただし、公式競技に出場して使用する場合、ルールにシャフトの長さの規定があるので、その規定を遵守した長さとする。
【００１２】
シャフト４の上端部に第１グリップ６を設け、さらに、ネック３に第２グリップ５を設ける。このパター１ａによれば、第２グリップ５をきき手で握り、第１グリップ６を他方の手で握る。ホールに正対し、しゃがんだ姿勢でアドレスをして、そのままストロークをする。
【００１３】
この場合、しゃがんだ姿勢でアドレスできるのは、シャフト４を従来のパターより極端に短くしているからで、これによりプレーヤーの目とグリーン上のボールとの距離が従来の場合より縮まり、ボールの認識、パッティングラインの把握の度合いが高まり、パッティング時のパッティング用ヘッド２のブレも抑えることができ、従来のパッティングの場合よりも正確にパッティングを行うことができる。したがって、パッティングの正確性向上を図ることが可能となる。
【００１４】
（実施の形態２）図２は、本発明の第２実施例のパター１ｂを示すものであり、実施の形態１の第１実施例のパター１ａにおいて、ネック３の軸線とシャフトの軸線がなす角度θが９０度以下の角度にしてある。第１実施例のパター１ａは、ネック３とシャフト４の関係がストレートか、又は、ほぼストレートである。これを両手で握る場合、第１グリップ６を握る手の甲は斜め下向きであるのに対して、第２グリップ５を握る手の甲は斜め上向きになる。
【００１５】
体のほぼ正面で精度の高い操作をする場合は、２つの手の平が同時に上を向いた状態かまたは同時に下を向いた状態で操作するほうがより精度の高い操作が可能となる。第２実施例のパター１ｂを両手で握る場合、各々の手の平が同時に上向きとなるため、より精度の高いパッティングを行うことができる。
【００１６】
（実施の形態３）図３は、本発明の第３実施例のパター１ｃを示すものであり、実施の形態２の第２実施例のパター１ｂの変形例である。シャフト４の下端をネック３の下端部に固定し、ネックの上端を開放する。シャフト４は通常ネック３の上端部に固定するのであるが、本実施例ではネック３の下端部に固定する。必然的にネック３の上端は開放される。ネック３とシャフト４の位置関係は、ネック３の軸線とシャフト４の軸線とがなす角度θが９０度以下の角度をなすようにする。そして、シャフト４の上端部に第１グリップ６を設け、ネック３の上端部に第２グリップ５を設ける。
【００１７】
このパター１ｃは、各々の手の甲が同時に下向きとなるようにしてグリップを握る。実施の形態２で説明したように、各々の手の平が同時に上向きとなると、より精度の高いパッティングを行うことができる。ただし、第２実施例のパター１ｂでは、第１グリップ６と第２グリップ５の高低差が大きい。したがって、両方のグリップを握ると左右の手の位置の高低差が大きくなる。しかし、左右の手の位置が水平に近い方がより安定したストロークを行うことができるので、第３実施実施のパター１ｃでは、第２実施例のパター１ｂに比較して、第１グリップ６の位置を下に来るように配慮した。その結果、グリップを握った時に、左右の手の位置関係の高低差がすくなくなり、より安定したストロークを行える。
【００１８】
【発明の効果】
以上述べたように本発明は、パターのシャフトを短くし、ネックとシャフトに各々グリップを設けたことにより、ホールに正対してしゃがんだ姿勢でパッティングを行うことができ、さらに、手の位置とパッティング用ヘッドの位置が極めて近付いたため、パッティングの正確性向上を図ることが可能な斬新なパターを提供できる。更に、パターのネックの軸線とシャフトの軸線がなす角度が９０度以下の角度をもつ構造にすることにより、パターを両手で握る場合、各々の手の平が上向きとなるため、よりスムーズなストロークを行うことができ、パッティングの正確性向上を図ることが可能な斬新なパターを提供できる。
【図面の簡単な説明】
【図１】本発明の第１実施例のパターの斜視図である。
【図２】本発明の第２実施例のパターの斜視図である。
【図３】本発明の第３実施例のパターの斜視図である。
【符号の説明】
１ａ・・・パター、１ｂ・・・パター、１ｃ・・・パター、２・・・パッティング用ヘッド、３・・・ネック、４・・・シャフト、５・・・第２グリップ、
６・・・第１グリップ、Ｌ・・・シャフトの寸法、θ・・・ネックの軸線とシャフトの軸線がなす角度
【図１】
2005000614.tif 000003
【図２】
2005000614.tif 000004
【図３】
2005000614.tif 000005